(57)【要約】      （修正有）【課題】デザイン面でオリジナル性を出し易くしたマリッジリングや、記念日などに送る記念リングの構造を提供する。【解決手段】男性側３、女性側４のそれぞれの希望のメッセージや、イニシャル、記念の文字や、数字等と各それぞれの指輪サイズを確認し、切削に必要な製作データを作る。宝飾用に使用される金属の圧延した板状の物を用意し、用意した機械切削用の製作データを使い文字の輪郭の形に切削する。この時に、購入者の指定する指輪のサイズに成る様に長さを決め、サイズ調整のスペースとなる部分２も同時に作る。その後、指輪の形に成形し指定サイズにする。サイズ直しスペース２を作ることで、購入後のサイズの変更も可能にした。この加工に使用される金属板の材質は、一般的に宝飾用に使われている、プラチナ、金、銀、真鍮、ステンレスこれらの合金など適当なものを選択でき、厚さは、０．５ｍｍから３ｍｍである。もちろんこの範囲に限定されない。【選択図】図１
0003170013.tif 000002
【実用新案登録請求の範囲】
【請求項１】
指輪本体を作る時から購入者が、希望するメッセージ、恋人同士、友人同士のイニシャル、記念日等の文字、数字等の外形に沿ってそのまま文字等が現れるように金属板を切削加工し、指輪、イヤリング等の装身具としたことを特徴とする立体メッセージ装身具。
【請求項２】
前記装身具にダイヤモンド等の宝石を付加したことを特徴とする請求項１に記載の立体メッセージ装身具。
【考案の詳細な説明】
【技術分野】
【０００１】
本考案は、購入者の希望するメッセージ、恋人同士、友人同士のイニシャル、記念日等の文字や数字等で、オリジナルデザインで指輪本体を構成する指輪に関するもので、結婚の証とするマリッジリングや、恋人同士、友人同士のペアリング、記念日などに送る記念リングとして最適な指輪に関するものである。
【背景技術】
【０００２】
従来、通常のマリッジリング等は、デザインや、文字、数字等が入れられた元型があり、それを利用してロストワックス鋳造や、シームレスパイプを利用し機械切削等で作った指輪を作り、販売時に、購入者の希望の文字、イニシャル、数字などを刻印や、刻印機、レーザー彫刻機などを使い指輪の内側に刻印して作っていた。
【先行技術文献】
【特許文献】
【０００３】
【特許文献１】第３１０２６５９号
【特許文献２】第３１０２４１３号
【特許文献３】第３０１５８２６号
【特許文献４】第３０３６６０３号
【考案の概要】
【考案が解決しようとする課題】
【０００４】
従来のマリッジリングや、恋人同士、友人同士のペアリング、記念日などに送る記念リングは、製造時に最初からデザインや、文字、数字等が成形されているため、購入者の希望の文字、イニシャル、数字などは、指輪の内側又は指輪の表面に刻印などとしてしか入れられず、デザインのオリジナル性を出すには不向きなものであった。
そこで、本考案は、上述のような問題を解決すべく案出されたもので、手造り、３Ｄキャドで元型を作りロストワックス製法で作る方法など、従来の方法で加工すると、本体を構成するデザインである文字や数字等の形や厚みなどにばらつきが出てしまう上、製作にも長期間必要であり、安価に一つ一つ作る事が困難である。
さらに、指輪本体を作る時から購入者が、希望するメッセージや、恋人同士、友人同士のイニシャル、記念日等の文字や、数字等で指輪本体のデザインを構成する指輪をフルオーダーする事が出来るようにして、結婚の証とするマリッジリングや、恋人同士、友人同士のペアリング、記念日などに送る記念リングとして最適な指輪を提供するものである。
【課題を解決するための手段】
【０００５】
上記目的を達成するために、決まった形の指輪での提案、加工方法ではなく、購入者各自それぞれの希望のメッセージや、恋人同士、友人同士のイニシャル、記念日等の文字や、数字等を確認し、指輪本体に成る様に文字等を構成するデザインを作る。  
用意した地金に直接、機械的加工、化学的加工などで切削などの加工を一点一点することで、加工作業の簡素化と納期の短縮をする。後で、希望の指輪サイズに加工し成型するという特徴を持った指輪とする。
【考案の効果】
【０００６】
以上述べたように、この指輪によれば、従来にない指輪としての意外性を備えているため、結婚の証とするマリッジリングや、恋人同士、友人同士のペアリング、記念日などに送る記念リングとして、その物の価値観を高めるという効果がある。
この指輪は、デザイン自体がメッセージや、イニシャル、記念の文字や、数字で立体的に本体を構成している部分が、装飾部分として現れるので、ボリューム感のある指輪となる。
希望の材料（材質）の圧延した地金に直接、機械的加工、化学的加工などを使い切削を行うことで、本体を構成するデザインである文字や数字等の形や厚みなどにばらつきが統一でき、製作するコストや時間も大幅に抑えて作る事が出来る効果がある。
【図面の簡単な説明】
【０００７】
【図１】本発明の機械切削示した図である。
【図２】本発明の指輪の形に成形することを示した図である。
【図３】本発明の完成品の斜視図である。
【考案を実施するための形態】
【０００８】
購入者個々の希望のメッセージや恋人同士、友人同士のイニシャル、記念日等の文字や、数字等を確認し製作データを、圧延した板状の宝飾で使用されている地金を機械的加工、化学的加工などの切削により、購入者の指定サイズになる長さに成る様に文字の輪郭の形に切り抜き、後に指輪の形に成形し仕上げる。
以下添付図面に基づいて、本考案に係る実施例を説明する。
図１は、圧延した地金５に男性用本体デザイン８と、女性用本体デザイン７を、サイズ調整部分２をつけて、削り出しをする図、図２は、本体を、６の様に指輪の形状に成る様に加工している図、図３は、本考案に係る指輪の実施例の斜視図である。
【実施例】
【０００９】
以下に本発明の実施例を示すが、もちろん、これに限定されるものではない。
本考案の指輪は、男性用８、女性用７とで構成される場合と、男女共通のデザインになるが場合があり、個別の指輪の使用時にはそれぞれ別個に各人の指に装着して使用されるもある。
そこで、男性側３、女性側４のそれぞれの希望のメッセージや、イニシャル、記念の文字や、数字等と各それぞれの指輪サイズを確認し、切削に必要な製作データを作る。宝飾用に使用される金属の圧延した板状の物を用意し、用意した機械切削用の製作データを使い文字の輪郭の形に切削する（図１参照）。この時に、購入者の指定する指輪のサイズに成る様に長さを決め、サイズ調整のスペースとなる部分２も同時に作る。その後、指輪の形に成形６し指定サイズにする。サイズ直しスペース２を作ることで、購入後のサイズの変更も可能にした。
この加工に使用される金属板の材質は、一般的に宝飾用に使われている、プラチナ、金、銀、真鍮、ステンレスこれらの合金など適当なものを選択でき、厚さは、０．５ｍｍから３ｍｍである。もちろんこの範囲に限定されない。
【産業上の利用可能性】
【００１０】
本発明においては、従来の定型型の指輪ではなく、購入者の希望で、オリジナルリングが簡素化した機械的加工、化学的加工などの工程により、従来品と比較して、より綺麗に安価に、かつ短時間に、また製品の品質にばらつきなく生産が可能になる。
【符号の説明】
【００１１】
１    切削加工用ドリル
２    指輪サイズ調整スペース
３    男性文字デザイン
４    女性文字デザイン
５    圧延した板
６    曲げ途中を表したもの
７    女性用デザインの全体像
８    男性用デザインの全体像
【図１】
0003170013.tif 000003
【図２】
0003170013.tif 000004
【図３】
0003170013.tif 000005
【手続補正書】
【提出日】平成23年6月23日(2011.6.23)
【手続補正１】
【補正対象書類名】実用新案登録請求の範囲
【補正対象項目名】全文
【補正方法】変更
【補正の内容】
【実用新案登録請求の範囲】
【請求項１】
金属板を切削加工して形成した指輪、イヤリング等の装身具であって、
前記金属板は、メッセージ、恋人同士、友人同士のイニシャル及び記念日等の文字、数字等が、外形に沿ってそのまま現れるように形成されていることを特徴とする立体メッセージ装身具。
【請求項２】
前記装身具にダイヤモンド等の宝石を付加したことを特徴とする請求項１に記載の立体メッセージ装身具。